【手続補正書】
【提出日】平成25年2月4日(2013.2.4)
【手続補正１】
【補正対象書類名】特許請求の範囲
【補正対象項目名】全文
【補正方法】変更
【補正の内容】
【特許請求の範囲】
【請求項１】
入力された各フレームの画像を順次表示する画像表示装置であって、
入力された着目フレームの画像内の各画素について、該画素の画素値に応じたオーバードライブ量を取得する取得手段と、
前記着目フレームの画像を構成する各画素について、該画素のオーバードライブ量から該画素の周囲画素の平均オーバードライブ量を減じた差分量を求める計算手段と、
前記着目フレームの画像における着目画素について前記計算手段が求めた差分量が閾値以上である場合には、前記着目画素の画像信号を出力し、
前記着目フレームの画像における着目画素について前記計算手段が求めた差分量が前記閾値より小さい場合には、前記着目画素の画像信号の信号レベルに前記着目画素について前記取得手段が取得したオーバードライブ量を加算した画像信号を出力する出力手段と、
前記着目フレームの画像内のそれぞれの画素について前記出力手段が出力した画像信号に応じた画像を、前記着目フレームの画像として表示する表示手段と
を備えることを特徴とする画像表示装置。
【請求項２】
入力された各フレームの画像を順次表示する画像表示装置であって、
入力された着目フレームの画像内の各画素について、該画素の画素値に応じたオーバードライブ量を取得する取得手段と、
前記着目フレームの画像を構成する各画素について、該画素のオーバードライブ量から該画素の周囲画素の平均オーバードライブ量を減じた差分量を求める計算手段と、
前記着目フレームの画像を構成する各画素について、該画素について前記計算手段が求めた差分量が大きいほど０に近い値をとり、該差分量が小さいほど１に近い値を取る特徴量を求める特徴量計算手段と、
前記着目フレームの画像を構成する各画素に対するオーバードライブ量を、該画素について前記特徴量計算手段が求めた特徴量の値が大きいほどより高く、小さいほどより低い割合を、該画素について前記取得手段が取得したオーバードライブ量に乗じて求める決定手段と、
前記着目フレームの画像を構成する各画素の画像信号として、前記着目フレームの画像における該画素の画像信号の信号レベルに該画素について前記決定手段が求めたオーバードライブ量を加算した画像信号を出力する出力手段と、
前記着目フレームの画像内のそれぞれの画素について前記出力手段が出力した画像信号に応じた画像を、前記着目フレームの画像として表示する表示手段と
を備えることを特徴とする画像表示装置。
【請求項３】
前記決定手段は、
前記着目フレームの画像内の着目画素に対するオーバードライブ量を、
前記着目画素について前記特徴量計算手段が求めた特徴量の値が０であれば０とし、
前記着目画素について前記特徴量計算手段が求めた特徴量の値が１であれば、前記着目画素について前記取得手段が取得したオーバードライブ量とし、
前記着目画素について前記特徴量計算手段が求めた特徴量の値が０より大きく１より小さい場合には、該特徴量の値が大きいほどより高く、小さいほどより低い割合を、前記着目画素について前記取得手段が取得したオーバードライブ量に乗じた結果とする
ことを特徴とする請求項２に記載の画像表示装置。
【請求項４】
前記取得手段は、
ｍ（≧２）ビットの画素値が取りうる全ての画素値と、ｍビットの画素値が取りうる全ての画素値と、の組み合わせ毎にオーバードライブ量が登録されたテーブルを参照し、
前記着目フレームの画像内の各画素について、該画素の画素値と、前記着目フレームより１つ前に入力された過去フレームの画像内の画素の画素値と、の組み合わせに対応するオーバードライブ量を前記テーブルから取得する
ことを特徴とする請求項１乃至３の何れか１項に記載の画像表示装置。
【請求項５】
前記取得手段は、
ｍ（≧２）ビットの画素値が取りうる全ての画素値についてオーバードライブ量が登録されたテーブルを参照し、
前記着目フレームの画像内の各画素について、該画素の画素値に対応するオーバードライブ量を前記テーブルから取得する
ことを特徴とする請求項１乃至３の何れか１項に記載の画像表示装置。
【請求項６】
前記テーブルは、前記表示手段の周辺温度を示す温度情報毎に予め作成されており、
前記取得手段は、
前記表示手段の周辺温度を示す温度情報を取得し、該取得した温度情報に対応する前記テーブルを参照し、前記着目フレームの画像内の各画素について、該画素の画素値と、前記着目フレームより１つ前に入力された過去フレームの画像内の画素の画素値と、の組み合わせに対応するオーバードライブ量を取得する
ことを特徴とする請求項４に記載の画像表示装置。
【請求項７】
更に、
前記温度情報が示す周辺温度が高いほど、前記閾値を小さくする手段
を備えることを特徴とする請求項６に記載の画像表示装置。
【請求項８】
入力された各フレームの画像を順次表示する画像表示装置が行う画像表示方法であって、
前記画像表示装置の取得手段が、入力された着目フレームの画像内の各画素について、該画素の画素値に応じたオーバードライブ量を取得する取得工程と、
前記画像表示装置の計算手段が、前記着目フレームの画像を構成する各画素について、該画素のオーバードライブ量から該画素の周囲画素の平均オーバードライブ量を減じた差分量を求める計算工程と、
前記画像表示装置の出力手段が、前記着目フレームの画像における着目画素について前記計算工程で求めた差分量が閾値以上である場合には、前記着目画素の画像信号を出力し、前記着目フレームの画像における着目画素について前記計算工程で求めた差分量が前記閾値より小さい場合には、前記着目画素の画像信号の信号レベルに前記着目画素について前記取得工程で取得したオーバードライブ量を加算した画像信号を出力する出力工程と、
前記画像表示装置の表示手段が、前記着目フレームの画像内のそれぞれの画素について前記出力工程が出力した画像信号に応じた画像を、前記着目フレームの画像として表示する表示工程と
を備えることを特徴とする画像表示方法。
【請求項９】
入力された各フレームの画像を順次表示する画像表示装置が行う画像表示方法であって、
前記画像表示装置の取得手段が、入力された着目フレームの画像内の各画素について、該画素の画素値に応じたオーバードライブ量を取得する取得工程と、
前記画像表示装置の計算手段が、前記着目フレームの画像を構成する各画素について、該画素のオーバードライブ量から該画素の周囲画素の平均オーバードライブ量を減じた差分量を求める計算工程と、
前記画像表示装置の特徴量計算手段が、前記着目フレームの画像を構成する各画素について、該画素について前記計算工程で求めた差分量が大きいほど０に近い値をとり、該差分量が小さいほど１に近い値を取る特徴量を求める特徴量計算工程と、
前記画像表示装置の決定手段が、前記着目フレームの画像を構成する各画素に対するオーバードライブ量を、該画素について前記特徴量計算工程で求めた特徴量の値が大きいほどより高く、小さいほどより低い割合を、該画素について前記取得工程で取得したオーバードライブ量に乗じて求める決定工程と、
前記画像表示装置の出力手段が、前記着目フレームの画像を構成する各画素の画像信号として、前記着目フレームの画像における該画素の画像信号の信号レベルに該画素について前記決定工程で求めたオーバードライブ量を加算した画像信号を出力する出力工程と、
前記画像表示装置の表示手段が、前記着目フレームの画像内のそれぞれの画素について前記出力工程で出力した画像信号に応じた画像を、前記着目フレームの画像として表示する表示工程と
を備えることを特徴とする画像表示方法。